(57)【要約】【課題】化粧道具を良好に洗うことができる化粧道具洗い具を提供する。【解決手段】化粧道具２を挟む第１，第２の押し付け体１０，２０をヒンジ部３０で連結し，少なくとも一方に通水口１１（２１）を設ける。第１，第２の押し付け体１０，２０の間に化粧道具２を入れ，必要に応じて通水口１１から化粧道具２へ水等を供給しながら，第１，第２の押し付け体１０，２０をヒンジ部３０回りに複数回回動させて両押し付け体１０，２０で化粧道具２をその弾性力に抗して挟むようにして化粧道具２を好適に押し洗いすることができる。筆洗い干し具は，液体を入れることが可能な容器本体の底面に一体に複数個設けられていて，筆の毛部を捌く半球状の突起を備えた筆洗い具と，容器本体に対して着脱可能に取付可能で，容器本体への装着時に，容器本体の少なくとも外側において，筆の柄部を，柄の軸方向が上下方向を向くように保持する保持部を有する筆干し具とを備える。【選択図】図２
2012035257.tif 000002
【特許請求の範囲】
【請求項１】
弾性を有する化粧道具を挟んで押し洗いするための化粧道具洗い具であって，
前記化粧道具を挟む第１，第２の押し付け体と，これら第１，第２の押し付け体を回動可能に連結するヒンジ部と，前記第１，第２の押し付け体のうちの少なくとも一方に設けられた，前記化粧道具に対する流体の流入／流出口と，を備えたことを特徴とする化粧道具洗い具。
【請求項２】
前記第１，第２の押し付け体の少なくとも一方の押し付け体は，前記化粧道具を押圧する板部と，この板部と一体に該板部の少なくとも両側部に設けられた側壁部とを有し，他方の押し付け体は，少なくともその一部が前記一方の押し付け体における側壁部の間に入り込むことを特徴とする請求項１記載の化粧道具洗い具。
【請求項３】
前記第１，第２の押し付け体のうちの一方の押し付け体は，前記化粧道具を受ける凹部を有し，他方の押し付け体は，前記凹部に向けて前記化粧道具を押圧する凸部を有していることを特徴とする請求項１または２記載の化粧道具洗い具。
【請求項４】
前記ヒンジ部は前記第１，第２の押し付け体の一端側に設け，前記第１，第２の押し付け体の他端側には前記化粧道具を押圧するための握り部をそれぞれ設け，第１，第２の押し付け体の間には，これら押し付け体同士を開方向へ付勢する付勢部材を設けたことを特徴とする請求項１〜３のうちいずれか一項に記載の化粧道具洗い具。
【請求項５】
柄部と毛部とを有する筆の毛部を洗うための筆洗い具であって，
液体を入れることが可能な容器本体と，この容器本体の底面に一体に複数個設けられていて，前記筆の毛部を捌く半球状の突起とを備えていることを特徴とする筆洗い具。
【請求項６】
柄部と毛部とを有する筆を干すための筆干し具であって，
自立性を有する脚部と，
この脚部の上部に設けられていて，前記筆の柄部を，当該柄の軸方向が上下方向を向くように保持する保持部と，
を備えていることを特徴とする筆干し具。
【請求項７】
柄部と毛部とを有する筆の毛部を洗って干すことができる筆洗い干し具であって，
液体を入れることが可能な容器本体と，この容器本体の底面に一体に複数個設けられていて，前記筆の毛部を捌く半球状の突起とを備えた筆洗い具と，
前記容器本体に対して着脱可能に取付可能な筆干し具であって，前記容器本体への装着時に，容器本体の少なくとも外側において，前記筆の柄部を，当該柄の軸方向が上下方向を向くように保持する保持部を有する筆干し具と，
を備えていることを特徴とする筆洗い干し具。
【発明の詳細な説明】
【技術分野】
【０００１】
本発明は，化粧道具洗い具に関する。より詳しくは，化粧用スポンジ，パフ等，弾性を有する化粧道具（一部に弾性部材を有する化粧道具を含む）を挟んで押し洗いするための化粧道具洗い具に関するものである。
【０００２】
また本発明は，化粧用筆，刷毛，ブラシ等，柄部と毛部とを有する筆（主として化粧道具としての筆）の毛部を洗うための化粧道具洗い具に関するものである。
【背景技術】
【０００３】
従来，例えば特許文献１に見られるような化粧用スポンジを干すためのネットは知られている。
また，化粧用の筆やブラシ等も広く知られている（例えば特許文献２）。
しかし，これら化粧道具を洗うための道具は未だ提案されていない。
【先行技術文献】
【特許文献】
【０００４】
【特許文献１】実開平０７−２９４号公報
【特許文献２】特開２０１０−１３６７８０号公報
【発明の概要】
【発明が解決しようとする課題】
【０００５】
本発明が解決しようとする課題は，化粧道具や筆を良好に洗うことができる化粧道具洗い具および筆洗い具，筆干し具，並びに筆洗い干し具を提供することである。
【課題を解決するための手段】
【０００６】
上記課題を解決するために，本発明の化粧道具洗い具は，弾性を有する化粧道具を挟んで押し洗いするための化粧道具洗い具であって，
前記化粧道具を挟む第１，第２の押し付け体と，これら第１，第２の押し付け体を回動可能に連結するヒンジ部と，前記第１，第２の押し付け体のうちの少なくとも一方に設けられた，前記化粧道具に対する流体の流入／流出口（以下単に「通水口」ともいう）と，を備えたことを特徴とする。
この化粧道具洗い具によれば，第１，第２の押し付け体の間に化粧道具を入れ，必要に応じて通水口から化粧道具へ水等を供給しながら，第１，第２の押し付け体をヒンジ部回りに複数回回動させて両押し付け体で化粧道具をその弾性力に抗して挟むようにして化粧道具を好適に押し洗いすることができる。
望ましくは，前記第１，第２の押し付け体の少なくとも一方の押し付け体は，前記化粧道具を押圧する板部と，この板部と一体に該板部の少なくとも両側部に設けられた側壁部とを有し，他方の押し付け体は，少なくともその一部が前記一方の押し付け体における側壁部の間に入り込む構成とする。
このようにすると，第１，第２の押し付け体の間に化粧道具を入れて第１，第２の押し付け体をヒンジ部回りに複数回回動させて化粧道具を洗う際，化粧道具の移動が前記側壁部によって規制されるので，化粧道具をより良好に洗うことができるようになる。
また望ましくは，前記第１，第２の押し付け体のうちの一方の押し付け体は，前記化粧道具を受ける凹部を有し，他方の押し付け体は，前記凹部に向けて前記化粧道具を押圧する凸部を有している構成とする。
このようにすると，第１，第２の押し付け体の間に入れられた化粧道具の移動が前記凹部によって規制されるとともに，前記凸部によって化粧道具が押圧されので，化粧道具をより良好に洗うことができるようになる。
また望ましくは，前記ヒンジ部は前記第１，第２の押し付け体の一端側に設け，前記第１，第２の押し付け体の他端側には前記化粧道具を押圧するための握り部をそれぞれ設け，第１，第２の押し付け体の間には，これら押し付け体同士を開方向へ付勢する付勢部材を設けた構成とする。
このようにすると，前記握り部を握ると前記第１，第２の押し付け体で化粧道具が押圧され，握り部への力を開放するか弱めると，第１，第２の押し付け体による化粧道具への押圧が開放されるか弱まり，付勢部材によって第１，第２の押し付け体が開くので，握り部の握り／開放操作を繰り返すことにより，容易に化粧道具を洗うことができる。
【０００７】
また，上記課題を解決するために，本発明の筆洗い具は，柄部と毛部とを有する筆の毛部を洗うための筆洗い具であって，
液体を入れることが可能な容器本体と，この容器本体の底面に一体に複数個設けられていて，前記筆の毛部を捌く半球状の突起とを備えていることを特徴とする。
この筆洗い具によれば，容器本体に洗剤，洗浄液，水等を入れ，その中に筆（例えば化粧用筆）の毛部を入れ，その毛部で容器本体底部に設けられている複数個の半球状突起を撫でる（擦る）と，該毛部が複数個の半球状突起によって柔らかに捌かれるようにして良好に洗われることとなる。
【０００８】
また，上記課題を解決するために，本発明の筆干し具は，柄部と毛部とを有する筆を干すための筆干し具であって，
自立性を有する脚部と，
この脚部の上部に設けられていて，前記筆の柄部を，当該柄の軸方向が上下方向を向くように保持する保持部と，
を備えていることを特徴とする。
この筆干し具によれば，洗った筆（例えば化粧用筆）を，その柄部を保持部に保持させて干すことができる。保持部は，筆の柄部を，当該柄の軸方向が上下方向を向くように保持するから，筆を良好に干すことができる。なお，本願明細書において，「上下方向」とは，鉛直方向およびそれに近い状態のみを意味するものではなく，筆を良好に干すことができる範囲内において筆の柄部を保持できる傾斜状態を含む。
また，上記課題を解決するために，本発明の筆洗い干し具は，柄部と毛部とを有する筆の毛部を洗って干すことができる筆洗い干し具であって，
液体を入れることが可能な容器本体と，この容器本体の底面に一体に複数個設けられていて，前記筆の毛部を捌く半球状の突起とを備えた筆洗い具と，
前記容器本体に対して着脱可能に取付可能な筆干し具であって，前記容器本体への装着時に，容器本体の少なくとも外側において，前記筆の柄部を，当該柄の軸方向が上下方向を向くように保持する保持部を有する筆干し具と，
を備えていることを特徴とする。
この筆洗い干し具によれば，容器本体に洗剤，洗浄液，水等を入れ，その中に筆（例えば化粧用筆）の毛部を入れ，その毛部で容器本体底部に設けられている複数個の半球状突起を撫でる（擦る）と，該毛部が複数個の半球状突起によって柔らかに捌かれるようにして良好に洗われることとなる。
そして，洗浄した筆は，筆干し具の保持部に柄部を保持させて干すことができる。
筆干し具は，前記容器本体に対して着脱可能に取付可能であり，保持部は筆干し具を容器本体へ装着した時に，容器本体の少なくとも外側において，筆の柄部を，当該柄の軸方向が上下方向を向くように保持可能であるから，筆干し具を容器本体に取り付けた状態で，いわば容器本体と筆干し具とを一体化した状態で，容器本体の外側において筆を良好に干すことができる。
すなわち，この筆洗い干し具によれば，筆（例えば化粧用筆）を良好に洗って良好に干すことができる。
【図面の簡単な説明】
【０００９】
【図１】本発明に係る化粧道具洗い具の一実施の形態を示す図で，（ａ）は平面図，（ｂ）は正面図，（ｃ）は右側面図，（ｄ）は図（ａ）におけるｄ−ｄ断面図。
【図２】（ａ）〜（ｇ）は化粧道具洗い具１の使用例を示す説明図。
【図３】（ａ）〜（ｅ）は化粧道具洗い具の変形例を示す図。
【図４】（ａ）〜（ｄ）は他の実施の形態を示す図で，（ａ）は平面図，（ｂ）は正面図，（ｃ）は右側面図，（ｄ）は図（ａ）におけるｄ−ｄ断面図，（ｅ）（ｆ）（ｇ）はそれぞれ変形例を示す図。
【図５】（ａ）〜（ｄ）は上記実施の形態のの使用例を示す説明図。。
【図６】他の実施の形態を示す図で，（ａ）は平面図，（ｂ）は正面図，（ｃ）は右側面図，（ｄ）は図（ａ）におけるｄ−ｄ断面図。
【図７】他の実施の形態を示す図で，（ａ）は平面図，（ｂ）は正面図，（ｃ）は右側面図，（ｄ）は図（ａ）におけるｄ−ｄ断面図。
【図８】他の実施の形態を示す図で，（ａ）は平面図，（ｂ）は図（ａ）におけるｂ−ｂ断面図。
【図９】他の実施の形態を示す図で，（ａ）は平面図，（ｂ）は図（ａ）におけるｂ−ｂ断面図。
【図１０】他の実施の形態を示す図で，（ａ）は自由状態の斜視図，（ｂ）は干し具として使用する場合の斜視図，（ｃ）は収納状態の斜視図。
【図１１】本発明に係る筆洗い具の一実施の形態を示す図で，（ａ）は平面図，（ｂ）（ｃ）はそれぞれ正断面図。
【図１２】本発明に係る筆洗い干し具の一実施の形態を示す図で，（ａ）は部分省略平面図，（ｂ）は正断面図。
【図１３】本発明に係る筆干し具の一実施の形態を示す図で，（ａ）は平面図，（ｂ）は正断面図。
【図１４】本発明に係る筆洗い具の他の実施の形態を示す図で，（ａ）は平面図，（ｂ）は正断面図。
【図１５】（ａ）（ｂ）はそれぞれ上記筆洗い具の使用例の説明図。
【図１６】本発明に係る筆干し具の他の実施の形態を示す図で，（ａ）は平面図，（ｂ）は正断面図，（ｃ）は図（ａ）における部分省略ｃ矢視図。
【図１７】上記筆干し具の使用例の説明図。
【図１８】本発明に係る筆洗い干し具の他の実施の形態を示す図で，（ａ）は平面図，（ｂ）は正断面図。
【発明を実施するための形態】
【００１０】
以下，本発明に係る化粧道具洗い具等の実施の形態について図面を参照して説明する。
図１は本発明に係る化粧道具洗い具の一実施の形態を示す図で，（ａ）は平面図，（ｂ）は正面図，（ｃ）は右側面図，（ｄ）は図（ａ）におけるｄ−ｄ断面図である。
【００１１】
この実施の形態の化粧道具洗い具１は，弾性を有する化粧道具２（例えば，図２に仮想線で示すスポンジやパフ、あるいは筆，ブラシ類）を挟んで押し洗いするための化粧道具洗い具であって，化粧道具２を挟む第１，第２の押し付け体１０，２０と，これら第１，第２の押し付け体１０，２０を回動可能に連結するヒンジ部３０と，第１，第２の押し付け体１０，２０に設けられた，化粧道具２に対する流体の流入／流出口（通水口）１１，２１とを備えている。この実施の形態では，通水口は第１，第２の押し付け体１０，２０の両方に設けたが，少なくとも一方に設ければよい。
【００１２】
この化粧道具洗い具１によれば，第１，第２の押し付け体１０，２０の間に化粧道具を入れ，必要に応じて通水口１１，２１から化粧道具へ水等を供給しながら，第１，第２の押し付け体１０，２０をヒンジ部３０回りに複数回，相対的に回動させて両押し付け体１０，２０で化粧道具を繰り返し挟むようにして化粧道具を好適に押し洗いすることができる。
【００１３】
図２（ａ）〜（ｄ）はこの化粧道具洗い具１の使用例を示す説明図である。
この化粧道具洗い具１を使用するには，図２（ａ）に示すように第１，第２の押し付け体１０，２０を開いてそれらの間に化粧道具２を入れる。この際，必要に応じて化粧道具２には洗剤，洗浄液等を含ませておくことができる。
【００１４】
次いで，同図（ｂ）に示すように第１，第２の押し付け体１０，２０を軽く閉じ，その後，例えば第１，第２の押し付け体１０，２０の端部１２，２２を手で摘むあるいは握るようにして，同図（ｃ）に示すように第１，第２の押し付け体１０，２０をヒンジ部３０回りに閉じ方向（矢印Ｐ１方向）に回動させ，これによって化粧道具２を押圧する。この際，矢印Ｗ１で示すように、通水口（開口）１１，１２から空気や水等が外部（化粧道具２および第１，第２の押し付け体１０，２０の外部）へ流出し得るので，化粧道具２の収縮および第１，第２の押し付け体１０，２０の閉じ方向への回動操作は容易に行い得る。
【００１５】
次いで，使用者の手による第１，第２の押し付け体１０，２０への閉じ方向への力を開放する（または弱める）と，同図（ｄ）に示すように第１，第２の押し付け体１０，２０は化粧道具２の復元力を受けて開くこととなる。この際，矢印Ｗ２で示すように、通水口（開口）１１，１２から空気や水等が内部（第１，第２の押し付け体１０，２０および化粧道具２の内部）へ流入し得るので，化粧道具２の膨張および第１，第２の押し付け体１０，２０の開方向への回動は容易になされ得る。
そこで，再び，同図（ｃ）に示すように第１，第２の押し付け体１０，２０をヒンジ部３０回りに閉じ方向（矢印Ｐ１方向）に回動させ，これによって化粧道具２を押圧する。
【００１６】
このような操作すなわち，第１，第２の押し付け体１０，２０の端部１２，２２を手で摘むあるいは握るようにして化粧道具２を押圧し，次いでその押圧を開放する（弱める）という操作を繰り返し行うことにより，化粧道具２への液体（洗剤や水等）の流入・流出を促して化粧道具２を好適に押し洗いすることができる。この際，必要に応じて通水口１１，２１から化粧道具２へ水等を供給しながら上記操作を繰り返すことにより，化粧道具２を水洗いし，また，すすぎ洗いすることもできる。
【００１７】
化粧道具２を洗った後は，第１，第２の押し付け体１０，２０で化粧道具２を挟圧して水等の液体を絞ることができる。
また，図（ｅ）に示すように第１，第２の押し付け体１０，２０を適切な角度に保持する連結部材４０と吊り部材４１等を設けることで，化粧道具２を第１，第２の押し付け体１０，２０間に保持した状態で吊して干すこともできる。なお，連結部材４０は，その一端を，第２の押し付け体２０に設けた連結部２４に回動可能に設け，他端を，第１の押し付け体１０に設けた連結部１４に対して係脱可能なフック等で構成することができる。
【００１８】
この化粧道具洗い具１によれば，図２（ｆ）（ｇ）に示すように，筆またはブラシ等の化粧道具２’を洗うことができる。すなわち，化粧道具２’の柄の部分２ｂを手で保持して第１，第２の押し付け体１０，２０の間に化粧道具２’の毛の部分（またはスポンジ部分。以下同じ）２ｃを入れ，前述した化粧道具２を洗う場合と同様に，必要に応じて通水口１１，２１から化粧道具２’へ水等を供給しながら，第１，第２の押し付け体１０，２０をヒンジ部３０回りに複数回，相対的に回動させて両押し付け体１０，２０で化粧道具２’の毛部２ｃを繰り返し挟むようにして化粧道具を好適に押し洗いすることができる。
【００１９】
図１に示すようにヒンジ部３０は，第１の押し付け体１０に一体に設けたリング部１３，１３と，第２の押し付け体２０に一体に設けられていて上記リング部１３，１３の間に入るリング部２３と，こららリング部１３，２３，１３に挿通された軸部３１とを有している。なお，ヒンジ部３０の構造は，他の公知の構造を採用し得る。例えば図１０に示すように，ヒンジ部３０は，第１，第２の押し付け体１０，２０の間においてこれら押し付け体と一体に形成した薄肉部３３によって構成することもできる。
【００２０】
図１の実施の形態では，ヒンジ部３０は第１，第２の押し付け体１０，２０の一端側（図において左側）の中央部に１つだけ設けたが，一端側の両端部に一対設けてもよく（図３（ａ），図１０参照），一端側において３個以上設けてもよい（図示せず）。
【００２１】
また，上記の実施の形態では，第１，第２の押し付け体１０，２０における通水口１１，２１は平面視で同一形状としかつ一致させた位置に設けたが，図３（ａ）に示すようにずらして設けてもよい。また第１の押し付け体１０における通水口１１と第２の押し付け体２０における通水口２１の形状は別形状としてもよい（図示せず）。また，上記の実施の形態では，第１，第２の押し付け体１０，２０における通水口１１，２１は平面視で格子状に設けたが千鳥状に設けてもよい（図３（ａ）参照）。また通水口１１，２１は図３（ｂ）に示すように放射状のスリットとすることもできる。
【００２２】
上記の実施の形態では，第１，第２の押し付け体１０，２０における通水口１１，２１は複数個設けたが，図３（ｃ）に示すように一個だけ設けてもよい。ただし，通水性を考慮すると，複数個設けることが望ましい。通水口１１，２１を多数設けて第１，第２の押し付け体１０，２０をネット状に構成することも可能である。
通水口１１，２１の形状は１個の場合も複数個の場合もその形状は適宜の形状を採用しうる。
【００２３】
上記の実施の形態では，第１，第２の押し付け体１０，２０の平面視形状は矩形としたが，台形でもよく，５角形以上でもよい。また，図３（ｄ）に示すような円形としてもよく，楕円形とすることもできる。
また，第１，第２の押し付け体１０，２０は平板状のものに限らず，例えば図３（ｅ）に示すように，湾曲板状とすることもできる。
第１，第２の押し付け体１０，２０には適宜補強リブを一体的に設けることができる。
【００２４】
図４はさらに望ましい実施の形態を示す図で，（ａ）は平面図，（ｂ）は正面図，（ｃ）は右側面図，（ｄ）は図（ａ）におけるｄ−ｄ断面図である。同図において上述した実施の形態と同一部分ないし相当する部分には同一の符号を付してある。
【００２５】
この実施の形態の化粧道具洗い具１が上述した実施の形態と異なる点は，第２の押し付け体２０が，化粧道具２を押圧する板部２５と，この板部２５と一体に該板部２５の両側部に設けられた側壁部２６，２６とを有し，他方の押し付け体１０は，少なくともその一部が第２の押し付け体２０における側壁部２６，２６の間に入り込む構成とした点にある。
このようにすると，第１，第２の押し付け体１０，２０の間に入れられた化粧道具２（図５参照）の移動が側壁部２６，２６によって規制されるので，化粧道具２をより良好に洗うことができるようになる。
【００２６】
すなわちこの実施の形態によっても，上記の実施の形態同様，図５（ａ）に示すように第１，第２の押し付け体１０，２０を開いてそれらの間に化粧道具２を入れ，同図（ｂ）に示すように第１，第２の押し付け体１０，２０を軽く閉じた後，同図（ｃ）（ｄ）に示すようなに第１，第２の押し付け体１０，２０をヒンジ部３０回りに開閉させる操作を繰り返し行うことにより，化粧道具を好適に押し洗いすることができ，また，すすぎ洗いして絞ることができる。そしてその際，化粧道具２の移動が側壁部２６，２６によって規制されるので，化粧道具２をより良好に洗うことができるようになる。
【００２７】
なお，第１，第２の押し付け体１０，２０の形状は逆の関係とすることもできる。すなわち，第１の押し付け体１０を側面視コ字型として，その側壁部の間に第２の押し付け体２０が入る構成とすることもできる。
また，例えば図４（ｅ）に示すように，側壁部２６を部分的に設けて，第１の押し付け体１０の一部（中央部分）のみが第２の押し付け体２０における側壁部２６，２６の間に入り込む構成とすることもできる。
また，例えば図４（ｆ）に示すように，第１，第２の押し付け体１０，２０をいずれも側面視コ字型として，第２の押し付け体２０の側壁部２６，２６の間に第１の押し付け体１０が入る構成とすることもできる。
また，例えば図４（ｇ）に示すように，第２の押し付け体２０の側壁部２６には，筆またはブラシ等の化粧道具２’を入れるための穴２６ｂを設けることもできる。このようにすると，側壁部２６を設けた場合でも，第１，第２の押し付け体１０，２０の間に前述したと同様筆またはブラシ等の化粧道具２’を入れて洗うことができる。
【００２８】
図６はさらに望ましい実施の形態を示す図で，（ａ）は平面図，（ｂ）は正面図，（ｃ）は右側面図，（ｄ）は図（ａ）におけるｄ−ｄ断面図である。同図において上述した実施の形態と同一部分ないし相当する部分には同一の符号を付してある。
【００２９】
この実施の形態の化粧道具洗い具１の特徴は，第１，第２の押し付け体１０，２０のうちの一方の押し付け体２０は，化粧道具（図示せず）を受ける凹部２７を有し，他方の押し付け体１０は，前記凹部２７に向けて化粧道具を押圧する凸部１７を有している点にある。
このような構成にすると，第１，第２の押し付け体１０，２０の間に入れられた化粧道具の移動が前記凹部２７によって規制されるとともに，前記凸部１７によって化粧道具が押圧されので，化粧道具をより良好に洗うことができるようになる。
凹部２７および凸部１７は，図７に示すように，湾曲面状（球面状）とすることもできる。
【００３０】
図８はさらに望ましい実施の形態を示す図で，（ａ）は平面図，（ｂ）は図（ａ）におけるｂ−ｂ断面図である。同図において上述した実施の形態と同一部分ないし相当する部分には同一の符号を付してある。
【００３１】
この実施の形態の化粧道具洗い具１の特徴は，第１，第２の押し付け体１０，２０の間に，これら押し付け体同士を開方向へ付勢する付勢部材５０を設けた点にある。
このように構成すると，第１，第２の押し付け体１０，２０の端部１２，２２を手で摘むあるいは握るようにして化粧道具２を押圧し，次いでその押圧を開放する（弱める）という操作を繰り返し行う際，化粧道具２の復元力が弱くても，付勢部材５０の作用で第１，第２の押し付け体１０，２０が確実に開くので，化粧道具２を円滑に繰り返し押し洗いすることができる。
【００３２】
この実施の形態では，付勢部材５０を，ヒンジ部３０の軸部３１に装着した捩りバネで構成し，その一端５１を第１の押し付け体１０の内側に，他端５２を第２の押し付け体２０の内側に当接させて第１，第２の押し付け体１０，２０を開方向へ付勢する構造としたが，付勢部材５０および付勢部材５０を用いた第１，第２の押し付け体１０，２０の開方向への付勢構造自体は，公知の付勢部材および構造を用いることができる。例えば図１０に示すように，付勢部材５０は，第１，第２の押し付け体１０，２０の間においてこれら押し付け体と一体に形成した薄肉部（ヒンジ部３０兼付勢部材５０）によって構成することもできる。
【００３３】
なお図８に示した構造では付勢部材５０の端部を第１，第２の押し付け体１０，２０の内側に当接させているだけで，第１，第２の押し付け体１０，２０の開方向への回動を付勢部材５０で規制していないので，例えば仮想線１０で示すように，第１の押し付け体１０を大きく開くことによって，化粧道具２を容易にセットすることができる。
【００３４】
図９はさらに望ましい実施の形態を示す図で，（ａ）は平面図，（ｂ）は正面図である。同図において上述した実施の形態と同一部分ないし相当する部分には同一の符号を付してある。
【００３５】
この実施の形態の化粧道具洗い具１の特徴は，ヒンジ部３０を第１，第２の押し付け体１０，２０の一端側に設け，第１，第２の押し付け体１０，２０の他端側に，化粧道具２を押圧するための握り部，すなわち第１，第２の押し付け体１０，２０を閉じるための握り部（レバー）１８，２８をそれぞれ設け，第１，第２の押し付け体１０，２０の間に，これら押し付け体同士を開方向へ付勢する付勢部材５０を設けた点にある。なお，付勢部材５０および付勢部材５０を用いた第１，第２の押し付け体１０，２０の開方向への付勢構造は前述した構造を採用することができる。
【００３６】
このように構成すると，握り部１８，２８を握ると第１，第２の押し付け体１０，２０で化粧道具２が押圧され，握り部１８，２８への力を開放するか弱めると，第１，第２の押し付け体１０，２０による化粧道具２への押圧が開放されるか弱まるので，握り部１８，２８の握り／開放操作を繰り返すことにより，容易に化粧道具を洗うことができる。
【００３７】
握り部１８，２８を設けると，握り部を含む第１，第２の押し付け体１０，２０の重量が増大するため，化粧道具２の復元力だけでは第１，第２の押し付け体１０，２０が円滑に開かない可能性もあるが，このような構成とすることで，化粧道具２の復元力が弱くても，付勢部材５０の作用で第１，第２の押し付け体１０，２０が確実に開くので，握り部１８，２８を繰り返し操作して化粧道具２を円滑に押し洗いすることができる。
なお，前述したように，握り部を含む第１，第２の押し付け体１０，２０には適宜補強リブを一体的に設けることができる。
【００３８】
図１０はさらに望ましい実施の形態を示す図で，（ａ）は自由状態の斜視図，（ｂ）は干し具として使用する場合の斜視図，（ｃ）は収納状態の斜視図である。図１０において上述した実施の形態と同一部分ないし相当する部分には同一の符号を付してある。
【００３９】
この実施の形態の化粧道具洗い具１の特徴は，第１，第２の押し付け体１０，２０，およびヒンジ部３０兼付勢部材５０を合成樹脂で一体成形した点にある。ヒンジ部３０兼付勢部材５０は，湾曲した板バネ状であり，第１，第２の押し付け体１０，２０の一端側の左右を一体に連結する薄肉部３３，３３で構成することができる。
この実施の形態の化粧道具洗い具１は，図（ａ）に示すように，自由状態では，ヒンジ部３０兼付勢部材５０が第１，第２の押し付け体１０，２０を開方向へ付勢している。
化粧道具２を洗う際には，図９（ｂ）に示したと同様，第１，第２の押し付け体１０，２０の間に化粧道具２を配置し，握り部１８，２８の握り／開放操作を繰り返すことにより，図９に示した実施の形態と同様に容易に化粧道具を洗うことができる。
【００４０】
この実施の形態では，自由状態で開方向へ向かう第１，第２の押し付け体１０，２０を適切な角度に保持する連結部材４０を，第１，第２の押し付け体１０，２０と一体に設けてある。この実施の形態の連結部４０は，一方の押し付け体（図示の場合，第２の押し付け体２０）に一体に設けた柔軟性を有するベルト４０と，このベルト４０に設けた穴４２と，他方の押し付け体（図示の場合，第１の押し付け体１０）に一体に設けられていて，前記穴４２と係脱可能な突起４４と有している。なお穴の数は任意に設定できる。
【００４１】
この連結部４０によれば，図（ｂ）に示すように，ベルト４０の穴４２と，突起４４とを係合させることにより，図２（ｅ）に示したと同様第１，第２の押し付け体１０，２０の開きを抑制して両者を適切な角度に保持し，両者の間に化粧道具２を入れたまま干すことができる。この際，例えば，ベルト４０を洗濯挟み等で挟む等して干すこともできる。
またこの実施の形態では，ベルト４０に収納時用の穴４３を設けている。このように構成すると，図（ｃ）に示すように，ベルト４０の穴４３と，突起４４とを係合させることにより，第１，第２の押し付け体１０，２０の開きをさらに抑制して両者をコンパクトに保持して収納することができる。なお，ベルト４０と突起４４の取付位置は適宜選定できる。例えば，第１，第２の押し付け体１０，２０の側部に設けることもできる。
【００４２】
図１１は本発明に係る筆洗い具の一実施の形態を示す図で，（ａ）は平面図，（ｂ）（ｃ）はそれぞれ正断面図である。
【００４３】
この実施の形態の筆洗い具１は，柄部２ｂと毛部２ｃとを有する筆（例えば化粧道具である化粧用筆）２’の毛部２ｃを洗うための筆洗い具であって，液体を入れることが可能な容器本体１００と，この容器本体１００の底面１１０に一体に複数個設けられていて，筆２’の毛部２ｃを捌く半球状の突起１１１とを備えている。
【００４４】
この筆洗い具１によれば，容器本体１００に洗剤，洗浄液，水等を適量入れ，その中に筆２’の毛部２ｃを入れ，その毛部２ｃで容器本体底部に設けられている複数個の半球状突起１１１を撫でる（擦る）と，該毛部２ｃが複数個の半球状突起１１１によって柔らかに捌かれるようにして良好に洗われることとなる。
【００４５】
図１１に示す容器本体１００の底面１１０は球面状としてあるが，平面状としてもよい（図１４参照）。
図１１に示すように，容器本体１００の底部１０１の両面（底面１１０）をそれぞれ球面状とし，両面に半球状突起１１１を設けると，図１１（ｂ）に示すように，凹状の底面１１０で毛部２ｃを洗うこともできるし，図１１（ｃ）に示すように，容器本体１００を逆にして，凸状の底面１１０で毛部２ｃを洗うこともできる。
【００４６】
図１１に示す容器本体１００では，底部１０１の両面（底面１１０）にそれぞれ４１個の半球状突起１１１を設けたが，その大きさおよび個数は２個以上であれば任意に設定できる。また，半球状突起１１１は底部１０１の片面にだけ設けてもよい。
【００４７】
図１２は本発明に係る筆洗い干し具の一実施の形態を示す図で，（ａ）は部分省略平面図，（ｂ）は正断面図である。
この実施の形態の筆洗い干し具は，上述した筆洗い具１と，その容器本体１００に対して着脱可能に取付可能な筆干し具であって，容器本体１００への装着時に，容器本体１００の外側において，筆２’の柄部２ｂを，当該柄の軸方向が上下方向を向くように保持する保持部２１０を有する筆干し具２００とを備えている。なお，保持部２１０は，筆２’の柄部２ｂを鉛直方向およびそれに近い状態に保持する構造のみに限られず，筆を良好に干すことができる範囲内において筆の柄部を傾斜状態で保持できる構造とすることもできる（例えば，保持部２１０は図１２（ｂ）において時計回りまたは反時計回りに傾けた形状とすることもできる）。
【００４８】
この筆洗い干し具によれば，容器本体１００を用いて洗浄した化粧道具２’を，筆干し具２００の保持部２１０に柄部２ｂを保持させて干すことができる。
この実施の形態の筆干し具２００は，容器本体１００に対して着脱可能に取付可能であり，保持部２１０は筆干し具２００を容器本体１００へ装着した時に，容器本体１００の外側において，筆２’の柄部２ｂを保持可能であるから，筆干し具２００を容器本体１００に取り付けた状態で，いわば容器本体１００と筆干し具２００とを一体化した状態で（図１２（ｂ）参照），容器本体１００の外側において筆２’を良好に干すことができる。
すなわち，この筆洗い干し具によれば，筆２’を良好に洗って良好に干すことができる。
【００４９】
筆干し具２００は，容器本体１００から取り外した状態において，自立性を有する構成とすることができる。その場合，筆干し具２００は，例えば図１３に示すように，自立性を有する脚部と，この脚部の上部に設けられていて，前記筆２’の柄部２ｂを，当該柄２ｂの軸方向が上下方向を向くように保持する保持部２１０とを備えていれば足りる。
この実施の形態の筆干し具２００は，容器本体１００に対して着脱可能に取付可能に構成されているので，例えば，図１２に示すように，円板状の本体２０１と，この本体２０１の下面に一体的に設けられた，容器本体１００への取付部兼脚部２０３と，前記本体２０１の外周部に一体に設けた前記保持部２１０を備えた構成とすることができる。
取付部兼脚部２０３は，図１２に示すように，容器本体１００内に挿入される筒状に構成することもできるし，図１３に示すように，周方向に間欠的な（例えば９０度ピッチで４箇所に設けた）突片状に構成することもできる。取付部兼脚部２０３は容器本体１００へ取付可能でかつ自立性を有する任意の形状を採用し得る。
【００５０】
筆干し具２００に自立性を持たせると，容器本体１００を用いて筆２’を洗う際，例えば図１３（ｂ）に示すように，洗い終わった筆２’を，洗面台Ｆ等に載置した筆干し具２００の保持部２１０に保持させておくことができる。また，全ての（例えば４本の）筆２’を洗い終わった後は，それらの筆２’を筆干し具２００に保持させた状態で図１２（ｂ）に示すように容器本体１００と一体化して筆２’を干すことができる。容器本体１００と筆干し具２００とを一体化することで収納の便も図ることができる。
【００５１】
保持部２１０は，弾性変形可能なクリップで構成し，柄部２ｂをクリップ内部（矢印ｂ方向）へ押し込むことで，クリップの復元力で柄部２ｂを把持する構成としたが，他の公知のクリップないしクランプ構造を採用し得る。
図示のものは，柄の太さの異なる筆２’を容器本体１００の回りに複数本干せるように，大小の保持部２１０を複数（図１２に示すものでは大小２個ずつ計４個，図１３に示すものでは大２個小４個の計６個）設けたが，その大きさおよび個数は適宜選択できる。
【００５２】
筆干し具２００の中央部には，開口２２０を設けることが望ましい。
このように構成すると，図１２（ｂ）に示すように容器本体１００に筆干し具２００を装着した際の容器本体１００内の通気性をよくして容器本体１００内を衛生的に維持することが可能になる。通気性を考慮すると，取付部兼脚部２０３は円筒状とするよりは，突片（円板状の本体２０１からの垂下片）状とする方が望ましい。
【００５３】
図１４は本発明に係る筆洗い具の他の実施の形態を示す図で，（ａ）は平面図，（ｂ）は正断面図である。同図において、前述した実施の形態と同一部分ないし相当する部分には同一の符号を付してある。
この実施の形態が上述した実施の形態と異なる主な点は，
容器本体１００の底部１０１を水平状とした点，
半球状突起１１１を小さくして単位面積当たりの半球状突起１１１の個数を多くするとともに，半球状突起１１１同士を湾曲面で連結して，底面１１０を断面波状とし，毛先をより細やかに捌けるようにするとともに毛先を傷めにくい形状とした点，
後述する筆干し具との連結手段としてのネジ１２１を本体１００の内周面１２０に設けた点，
にあり，その他の点に変わりはない。
【００５４】
この筆洗い具によっても，上述した実施の形態同様，図１５（ａ）（ｂ）に示すように，筆を良好に洗うことができる。また，半球状突起１１１を小さくして単位面積当たりの半球状突起１１１の個数を多くするとともに，半球状突起１１１同士を湾曲面で連結して，底面１１０を断面波状としたことで，筆２’の毛先をより細やかに捌けるようにして洗浄効果を向上させるとともに，毛先も傷めにくくすることができる。
【００５５】
図１６は本発明に係る筆干し具の他の実施の形態を示す図で，（ａ）は平面図，（ｂ）は正断面図，（ｃ）は図（ａ）における部分省略ｃ矢視図である。同図において、前述した実施の形態と同一部分ないし相当する部分には同一の符号を付してある。
この実施の形態が上述した実施の形態と異なる主な点は，
筆２’の柄部２ｂを把持する保持部２１０の種類を増やした点（図示のものは，大，中，小，細，各２個，計８個）とした点，
円板部２０１の中央部に円板状薄肉部２０２を設け，この円板状薄肉部に放射状のスリット２０４を設けて複数（図示のものは８個）の扇状舌片２０５を設けた点，
前述した筆洗い具との連結手段としてのネジ２２１を円筒状の脚部２０３の外周面２３０に設けた点，
にあり，その他の点に変わりはない。
【００５６】
この筆干し具によっても，上述した実施の形態同様，洗い終わった筆２’を，保持部２１０に保持させて干すことができる（図１７参照）。また，図１７に示すように，保持部２１０では保持し得ない程の大径の柄部２ｂを有する筆２’’については，その柄部２ｂを矢印Ｙで示すように，扇状舌片２０５の中央部に下方から挿入して，扇状舌片２０５の弾性で保持させることができる。脚部２０３には幅広のスリット（開口）２０３ｓが設けられているので，通気性が確保され，毛部２ｃを良好に干すことができる。
【００５７】
またこの筆干し具は，前述した筆洗い具との連結手段としてのネジ２２１を備えているので，図１８に示すように，脚部２０３を筆洗い具の容器本体１００内に入れ，回動させてネジ１２１と２２１とを結合させることで洗い具と連結させることができる。このようにすると，筆干し具２００のみを持ったときでも，洗い具（１００）が脱落しないので，使い勝手が向上する。なお，筆洗い具１００と筆干し具２００との連結手段は適宜の手段（例えば洗い具本体１００の内周面１２０に設けた凹部と筆干し具脚部２０３の外周面２３０に設けた凸部とによる嵌合）を採用することができる。
【００５８】
筆干し具には，例えば図１７に仮想線で示すように，吊り部材２４０を設けて，適所に筆干し具２００を吊して利用するようにすることもできる。吊り部材２４０は筆干し具２００と一体に構成することもできる。
筆干し具２００を単独で利用する必要がない場合には，例えば脚部２０３は上記ネジ２２１を設けることができる程度の長さにして（筆洗い具１００に対する蓋状にして），筆洗い具と組み合わせてのみ使用するように構成することもできる。
【００５９】
以上，本発明の実施の形態について説明したが，本発明は上記の実施の形態に限定されるものではなく，本発明の要旨の範囲内において適宜変形実施可能である。また，図１〜図１０および図１１〜図１８に示した複数の実施の形態および変形例は任意にかつ適宜にその構造，形状を組み合わせて実施することができる。
【符号の説明】
【００６０】
１    化粧道具洗い具
２    化粧道具
２’    筆
１０    第１の押し付け体
１１，２１    通水口
１７    凸部
２０    第２の押し付け体
２５    板部
２６    側壁部
２７    凹部
３０    ヒンジ部
５０    付勢部材
１００    容器本体（筆洗い具）
１１０    底面
１１１    半球状
２００    筆干し具
２０３    脚部
２１０    保持部
【図１】
2012035257.tif 000003
【図２】
2012035257.tif 000004
【図３】
2012035257.tif 000005
【図４】
2012035257.tif 000006
【図５】
2012035257.tif 000007
【図６】
2012035257.tif 000008
【図７】
2012035257.tif 000009
【図８】
2012035257.tif 000010
【図９】
2012035257.tif 000011
【図１０】
2012035257.tif 000012
【図１１】
2012035257.tif 000013
【図１２】
2012035257.tif 000014
【図１３】
2012035257.tif 000015
【図１４】
2012035257.tif 000016
【図１５】
2012035257.tif 000017
【図１６】
2012035257.tif 000018
【図１７】
2012035257.tif 000019
【図１８】
2012035257.tif 000020